(57)【特許請求の範囲】
【請求項１】
ユーザの顔に被せて使用するシート状部材および当該シート状部材を介して上記ユーザの顔に振動を付与する振動供給体を含んで構成されたマッサージ装置において使用するコンポーネントである上記シート状部材または当該シート状部材に塗布する塗布材の少なくとも一方を含む振動媒体および上記振動に関する情報を提示するコンポーネント提示装置であって、
上記ユーザが顔のマッサージを受ける際における上記ユーザの顔の肌状態、心理状態またはマッサージを利用する目的の何れかであるコンテクストを示すコンテクスト情報を取得するコンテクスト情報取得部と、
上記コンテクスト情報取得部により取得された上記コンテクスト情報に基づいて、固有の触覚効果を持った複数タイプの振動媒体を示す複数の媒体関連情報をそれぞれ複数のコンテクスト情報の何れかに対応付けて記憶した媒体関連情報記憶部から、上記コンテクストに応じたタイプの振動媒体に関する媒体関連情報を取得する媒体関連情報取得部と、
固有の触覚効果を持った複数タイプの振動情報をそれぞれ上記複数の媒体関連情報の何れかに対応付けて記憶した振動情報記憶部から、上記媒体関連情報取得部により取得された上記媒体関連情報により示されるタイプの振動媒体に応じた振動情報を取得する振動情報取得部と、
上記媒体関連情報取得部により取得された上記媒体関連情報および上記振動情報取得部により取得された上記振動情報をユーザに提示する取得情報提示部と
を備えたことを特徴とするコンポーネント提示装置。
【請求項２】
上記媒体関連情報取得部は、上記ユーザのコンテクストに応じて複数のタイプの振動媒体に関する複数の媒体関連情報を取得し、
上記取得情報提示部は、上記媒体関連情報取得部により取得された上記複数の媒体関連情報をユーザに提示する
ことを特徴とする請求項１に記載のコンポーネント提示装置。
【請求項３】
上記振動情報取得部は、上記取得情報提示部により提示された上記複数の媒体関連情報の中から上記ユーザにより選択された媒体関連情報により示されるタイプの振動媒体に応じた振動情報を取得する
ことを特徴とする請求項２に記載のコンポーネント提示装置。
【請求項４】
上記振動情報取得部は、上記媒体関連情報取得部により取得された上記媒体関連情報により示されるタイプの振動媒体に応じて複数のタイプの振動情報を取得し、
上記取得情報提示部は、上記振動情報取得部により取得された上記複数の振動情報をユーザに提示する
ことを特徴とする請求項１または２に記載のコンポーネント提示装置。
【請求項５】
上記振動情報取得部は、上記取得情報提示部により提示された上記複数の媒体関連情報の中から上記ユーザにより選択された媒体関連情報により示されるタイプの振動媒体に応じて複数のタイプの振動情報を取得し、
上記取得情報提示部は、上記振動情報取得部により取得された上記複数の振動情報をユーザに提示する
ことを特徴とする請求項３に記載のコンポーネント提示装置。
【請求項６】
上記コンテクスト情報取得部は、上記ユーザの顔の肌状態を示す肌状態情報を取得する肌状態取得部を含み、
上記媒体関連情報取得部は、上記肌状態取得部により取得された上記肌状態情報に基づいて、上記ユーザの顔の肌状態に応じたタイプの振動媒体に関する媒体関連情報を上記媒体関連情報記憶部から取得する
ことを特徴とする請求項１〜５の何れか１項に記載のコンポーネント提示装置。
【請求項７】
上記肌状態取得部は、上記ユーザによる操作画面に対する操作を通じて選択された肌状態を示す上記肌状態情報を取得することを特徴とする請求項６に記載のコンポーネント提示装置。
【請求項８】
上記肌状態取得部は、肌状態測定装置において測定された情報に基づいて分析されるユーザの肌状態を示す上記肌状態情報を取得することを特徴とする請求項６に記載のコンポーネント提示装置。
【請求項９】
上記肌状態情報は、上記ユーザの顔の肌状態を複数レベルの何れに該当するかを示す情報であることを特徴とする請求項６〜８の何れか１項に記載のコンポーネント提示装置。
【請求項１０】
上記コンテクスト情報取得部は、上記ユーザの心理状態を示す心理状態情報を取得する心理状態取得部を含み、
上記媒体関連情報取得部は、上記心理状態取得部により取得された上記心理状態情報に基づいて、上記ユーザの心理状態に応じたタイプの振動媒体に関する媒体関連情報を上記媒体関連情報記憶部から取得する
ことを特徴とする請求項１〜５の何れか１項に記載のコンポーネント提示装置。
【請求項１１】
上記心理状態取得部は、上記ユーザによる操作画面に対する操作を通じて選択された心理状態を示す上記心理状態情報を取得することを特徴とする請求項１０に記載のコンポーネント提示装置。
【請求項１２】
上記コンテクスト情報取得部は、上記マッサージ装置の利用目的を示す目的情報を取得する目的情報取得部を含み、
上記媒体関連情報取得部は、上記目的情報取得部により取得された上記目的情報に基づいて、上記マッサージ装置の利用目的に応じたタイプの振動媒体に関する媒体関連情報を上記媒体関連情報記憶部から取得する
ことを特徴とする請求項１〜５の何れか１項に記載のコンポーネント提示装置。
【請求項１３】
上記目的情報取得部は、上記ユーザによる操作画面に対する操作を通じて選択された利用目的を示す上記目的情報を取得することを特徴とする請求項１２に記載のコンポーネント提示装置。
【請求項１４】
上記振動情報記憶部は、上記複数タイプの振動情報をそれぞれ、上記複数の媒体関連情報に代えてまたは加えて上記複数のコンテクスト情報の何れかに対応付けて記憶しており、
上記振動情報取得部は、上記媒体関連情報取得部により取得された上記媒体関連情報により示されるタイプの振動媒体に代えて、上記コンテクスト情報取得部により取得された上記コンテクスト情報により示される上記コンテクストに応じた振動情報を上記振動情報記憶部から取得する
ことを特徴とする請求項１に記載のコンポーネント提示装置。
【請求項１５】
上記振動情報記憶部は、上記複数タイプの振動情報に代えて、上記複数タイプの振動のそれぞれに対応する複数の振動識別情報を記憶しており、
上記振動情報取得部は、上記振動情報に代えて上記振動識別情報を取得し、
上記取得情報提示部は、上記振動情報に代えて上記振動識別情報を提示する
ことを特徴とする請求項１に記載のコンポーネント提示装置。
【請求項１６】
ユーザ端末と、
ユーザの顔に被せて使用するシート状部材および当該シート状部材を介して上記ユーザの顔に振動を付与する振動供給体を含んで構成されたマッサージ装置において使用するコンポーネントである上記シート状部材または当該シート状部材に塗布する塗布材の少なくとも一方を含む振動媒体および上記振動に関する情報を上記ユーザ端末に提示するコンポーネント提示装置とを備え、
上記コンポーネント提示装置は、
上記ユーザが顔のマッサージを受ける際における上記ユーザの顔の肌状態、心理状態またはマッサージを利用する目的の何れかであるコンテクストを示すコンテクスト情報を上記ユーザ端末から取得するコンテクスト情報取得部と、
上記コンテクスト情報取得部により取得された上記コンテクスト情報に基づいて、固有の触覚効果を持った複数タイプの振動媒体を示す複数の媒体関連情報をそれぞれ複数のコンテクスト情報の何れかに対応付けて記憶した媒体関連情報記憶部から、上記コンテクストに応じたタイプの振動媒体に関する媒体関連情報を取得する媒体関連情報取得部と、
固有の触覚効果を持った複数タイプの振動情報をそれぞれ上記複数の媒体関連情報の何れかに対応付けて記憶した振動情報記憶部から、上記媒体関連情報取得部により取得された上記媒体関連情報により示されるタイプの振動媒体に応じた振動情報を取得する振動情報取得部と、
上記媒体関連情報取得部により取得された上記媒体関連情報および上記振動情報取得部により取得された上記振動情報を上記ユーザ端末に提示する取得情報提示部と
を備えたことを特徴とするコンポーネント提示システム。
【請求項１７】
上記媒体関連情報取得部は、上記ユーザのコンテクストに応じて複数のタイプの振動媒体に関する複数の媒体関連情報を取得し、
上記取得情報提示部は、上記媒体関連情報取得部により取得された上記複数の媒体関連情報を上記ユーザ端末に提示する
ことを特徴とする請求項１６に記載のコンポーネント提示システム。
【請求項１８】
上記振動情報取得部は、上記取得情報提示部により提示された上記複数の媒体関連情報の中から上記ユーザにより選択された媒体関連情報により示されるタイプの振動媒体に応じた振動情報を取得する
ことを特徴とする請求項１７に記載のコンポーネント提示システム。
【請求項１９】
上記振動情報取得部は、上記媒体関連情報取得部により取得された上記媒体関連情報により示されるタイプの振動媒体に応じて複数のタイプの振動情報を取得し、
上記取得情報提示部は、上記振動情報取得部により取得された上記複数の振動情報を上記ユーザ端末に提示する
ことを特徴とする請求項１７または１８に記載のコンポーネント提示システム。
【請求項２０】
上記振動情報取得部は、上記取得情報提示部により提示された上記複数の媒体関連情報の中から上記ユーザにより選択された媒体関連情報により示されるタイプの振動媒体に応じて複数のタイプの振動情報を取得し、
上記取得情報提示部は、上記振動情報取得部により取得された上記複数の振動情報を上記ユーザ端末に提示する
ことを特徴とする請求項１８に記載のコンポーネント提示システム。
【請求項２１】
上記振動情報記憶部は、上記複数タイプの振動情報をそれぞれ、上記複数の媒体関連情報に代えてまたは加えて上記複数のコンテクスト情報の何れかに対応付けて記憶しており、
上記振動情報取得部は、上記媒体関連情報取得部により取得された上記媒体関連情報により示されるタイプの振動媒体に代えて、上記コンテクスト情報取得部により取得された上記コンテクスト情報により示される上記コンテクストに応じた振動情報を上記振動情報記憶部から取得する
ことを特徴とする請求項１６に記載のコンポーネント提示システム。
【請求項２２】
上記振動情報記憶部は、上記複数タイプの振動情報に代えて、上記複数タイプの振動のそれぞれに対応する複数の振動識別情報を記憶しており、
上記振動情報取得部は、上記振動情報に代えて上記振動識別情報を取得し、
上記取得情報提示部は、上記振動情報に代えて上記振動識別情報を上記ユーザ端末に提示する
ことを特徴とする請求項１６に記載のコンポーネント提示システム。
【請求項２３】
上記ユーザ端末は、上記コンポーネント提示装置から提示された上記振動情報を上記振動供給体に送信する振動情報送信部を備え、
上記振動供給体は、上記振動情報送信部により送信された上記振動情報に基づいて振動を付与する振動付与体を備えた
ことを特徴とする請求項１６〜２１の何れか１項に記載のコンポーネント提示システム。
【請求項２４】
ユーザの顔に被せて使用するシート状部材および当該シート状部材を介して上記ユーザの顔に振動を付与する振動供給体を含んで構成されたマッサージ装置において使用するコンポーネントである上記シート状部材または当該シート状部材に塗布する塗布材の少なくとも一方を含む振動媒体および上記振動に関する情報を提示するコンポーネント提示方法であって、
コンピュータのコンテクスト情報取得部が、上記ユーザが顔のマッサージを受ける際における上記ユーザの顔の肌状態、心理状態またはマッサージを利用する目的の何れかであるコンテクストを示すコンテクスト情報を取得するステップと、
上記コンピュータの媒体関連情報取得部が、上記コンテクスト情報取得部により取得された上記コンテクスト情報に基づいて、固有の触覚効果を持った複数タイプの振動媒体を示す複数の媒体関連情報をそれぞれ複数のコンテクスト情報の何れかに対応付けて記憶した媒体関連情報記憶部から、上記コンテクストに応じたタイプの振動媒体に関する媒体関連情報を取得するステップと、
上記コンピュータの振動情報取得部が、固有の触覚効果を持った複数タイプの振動情報をそれぞれ上記複数の媒体関連情報の何れかに対応付けて記憶した振動情報記憶部から、上記媒体関連情報取得部により取得された上記媒体関連情報により示されるタイプの振動媒体に応じた振動情報を取得するステップと、
上記コンピュータの取得情報提示部が、上記媒体関連情報取得部により取得された上記媒体関連情報および上記振動情報取得部により取得された上記振動情報をユーザに提示するステップと
を有することを特徴とするコンポーネント提示方法。
【請求項２５】
ユーザの顔に被せて使用するシート状部材および当該シート状部材を介して上記ユーザの顔に振動を付与する振動供給体を含んで構成されたマッサージ装置において使用するコンポーネントである上記シート状部材または当該シート状部材に塗布する塗布材の少なくとも一方を含む振動媒体および上記振動に関する情報を提示するための処理を行うコンポーネント提示用プログラムであって、
上記ユーザが顔のマッサージを受ける際における上記ユーザの顔の肌状態、心理状態またはマッサージを利用する目的の何れかであるコンテクストを示すコンテクスト情報を取得するコンテクスト情報取得手段、
上記コンテクスト情報取得手段により取得された上記コンテクスト情報に基づいて、固有の触覚効果を持った複数タイプの振動媒体を示す複数の媒体関連情報をそれぞれ複数のコンテクスト情報の何れかに対応付けて記憶した媒体関連情報記憶部から、上記コンテクストに応じたタイプの振動媒体に関する媒体関連情報を取得する媒体関連情報取得手段、
固有の触覚効果を持った複数タイプの振動情報をそれぞれ上記複数の媒体関連情報の何れかに対応付けて記憶した振動情報記憶部から、上記媒体関連情報取得手段により取得された上記媒体関連情報により示されるタイプの振動媒体に応じた振動情報を取得する振動情報取得手段、および
上記媒体関連情報取得手段により取得された上記媒体関連情報および上記振動情報取得手段により取得された上記振動情報をユーザに提示する取得情報提示手段
としてコンピュータを機能させるためのコンポーネント提示用プログラム。
【発明の詳細な説明】
【技術分野】
【０００１】
本発明は、コンポーネント提示装置、コンポーネント提示システム、コンポーネント提示方法およびコンポーネント提示用プログラムに関し、特に、ユーザの顔に振動を付与するマッサージ装置において使用するコンポーネントに関する情報をユーザに提示するシステムに用いて好適なものである。
【背景技術】
【０００２】
従来、肌状態の改善を効果的に行うことができるようにしたマッサージ装置が知られている（例えば、特許文献１参照）。この特許文献１に記載のマッサージ装置は、肌に貼り付けることが可能なシート部材と、シート部材に配置され、近傍の肌の状態（肌の血流量、毛細血管を流れる血液の酸素飽和度、張力、温度、血圧、水分量、皮脂量、色調、肌の下の筋肉の緊張度のうち少なくとも１つ）をそれぞれ検出する複数の肌状態センサと、複数の肌状態センサの位置とそれぞれ対応する位置に配置され、対応する肌状態センサの検出結果に応じてそれぞれ動作する複数のマッサージ素子とを有する。【０００３】
マッサージ素子は、肌に対して摘みマッサージおよび電気的刺激のうち少なくとも１つを含むマッサージを行う。肌状態は顔等の狭い範囲においても不均一であるのが通常であるが、上記特許文献１に記載のマッサージ装置によれば、どの部分にどの程度のマッサージを行えば良いのかを的確に判断し、肌の各部分に対して、弱過ぎず、かつ強過ぎない適切な強度で、その部分の肌状態に応じたマッサージを行うことができるので、肌状態の改善を効果的に行うことができるとされる。【０００４】
また、顔に被せて使用するマスクを振動させて、顔全体のマッサージを行うようにした装置も知られている（例えば、特許文献２参照）。この特許文献２に記載のマスク型振動マッサージ装置は、振動付与体が設置される部位（例えば、顎または前額部の位置）で、顔面とは反対側に向かって膨らんでいる振動呈示部と、当該振動呈示部とは異なる部位（例えば、鼻横の位置）において顔面に向かって膨らんでいる膨らみ部と、顔に被せて使用するフェイシャルシートとを備え、振動呈示部により呈示された振動を膨らみ部からフェイシャルシートに伝え、当該フェイシャルシートを介して顔全体に振動を与えるように構成されている。【０００５】
この特許文献２に記載のマスク型振動マッサージ装置によれば、振動付与体は１箇所の振動呈示部に設置すればよく、顔面に向かって膨らむ膨らみ部と、顔面とは反対側に向かって膨らむ振動呈示部とを有する程度の製造コストが増大しない簡易な構成で、顔全体に対して振動を与えてマッサージを行うことができる。また、マスク型振動マッサージ装置から直接的ではなく、顔に被せたフェイシャルシートを介して振動が顔全体に伝えられるので、振動で触感の細かな差異を顔全体に感じさせること、顔全体に密着感を感じさせること、顔全体が包み込まれる感じを作ることが可能となる。これにより、ユーザに心地よい振動マッサージを提供することができる。【０００６】
【特許文献１】特開２０１５−１６３１８３号公報
【特許文献２】ＷＯ２０１８／１３９１５０号公報
【発明の概要】
【発明が解決しようとする課題】
【０００７】
上記特許文献１に記載のマッサージ装置では、顔にシートを貼り付けた状態にして、シートに配置されたマッサージ素子を動作させることにより、摘みマッサージまたは電気的刺激を顔に付与する。また、上記特許文献２に記載のマッサージ装置では、顔にシートを被せた状態にして、マスクからシートを介して顔に振動を付与する。このように、特許文献１，２に記載のマッサージ装置は何れも、シートが顔に直接触れる状態で使用されることになるが、その使用感については何ら考慮されていない。【０００８】
特に、特許文献１に記載のマッサージ装置では、複数の肌状態センサと複数のマッサージ素子とが全体に分散配置されたシート部材を顔に貼り付けるため、かなり付け心地が悪い。一方、特許文献２に記載のマッサージ装置では、ユーザに心地よい振動マッサージを提供するための工夫がなされている。しかしながら、シートを被せる顔の肌状態はユーザ毎に異なるが、その点は考慮されておらず、使用するシートも、シートを介して付与する振動も、ユーザによらず固定である。【０００９】
また、特許文献１に記載のマッサージ装置は、肌状態の改善をより効果的に行うことを目的して成されたものであり、それ以外の目的で使用することは考慮されていない。そのため、特許文献１に記載のマッサージ装置では、肌状態の改善を目的とした通り一辺倒のマッサージで、肌状態がよくない部分を検出して局部的に付与するマッサージしか提供することができないという問題があった。【００１０】
一方、特許文献２に記載のマッサージ装置は、様々な触覚効果を持った振動（触質コンテンツ）の中から何れかを選択して付与することができるように構成されている。しかしながら、特許文献２に記載のマッサージ装置では、音声信号のように時間の経過と共に振幅が変化する波形情報を分析して所定の触質パラメータを求め、当該触質パラメータに応じて決定される振動を選択的に付与するように構成されている。そのため、ユーザの肌状態や使用の目的などに応じて適切な使用感の振動を付与することができないという問題があった。【００１１】
本発明は、このような問題を解決するために成されたものであり、ユーザが顔のマッサージを受ける際のコンテクストに適した振動媒体および振動を使って振動マッサージを受けることができるようすることを目的とする。
【課題を解決するための手段】
【００１２】
上記した課題を解決するために、本発明では、ユーザが顔のマッサージを受ける際のコンテクストを示すコンテクスト情報を取得し、固有の触覚効果を持った複数タイプのシート状部材または当該シート状部材に塗布する塗布材の少なくとも一方を含む振動媒体を示す複数の媒体関連情報をそれぞれ複数のコンテクスト情報の何れかに対応付けて記憶した媒体関連情報記憶部から、コンテクストに応じたタイプの振動媒体に関する媒体関連情報を取得する。さらに、固有の触覚効果を持った複数タイプの振動情報をそれぞれ複数の媒体関連情報の何れかに対応付けて記憶した振動情報記憶部から、上記のように取得された媒体関連情報により示されるタイプの振動媒体に応じた振動情報を取得する。そして、以上のように取得した媒体関連情報および振動情報をユーザに提示するようにしている。
【発明の効果】
【００１３】
上記のように構成した本発明によれば、ユーザの顔に被せて使用するシート状部材を介してユーザの顔に振動を付与するように構成されたマッサージ装置を使用する際に、ユーザが顔のマッサージを受ける際のコンテクストを示すコンテクスト情報を取得すると、そのコンテクストに対応付けられた振動媒体および振動を示す情報がユーザに提示される。ユーザは、このように提示された振動媒体および振動を用いてマッサージ装置を使用することにより、ユーザが顔のマッサージを受ける際のコンテクストに適した振動媒体および振動を使って振動マッサージを受けることができる。
【図面の簡単な説明】
【００１４】
【図１】本実施形態によるコンポーネント提示システムの全体構成例を示す図である。
【図２】本実施形態によるサーバ装置（コンポーネント提示装置）の機能構成例を示すブロック図である。
【図３】本実施形態によるユーザ端末の機能構成例を示すブロック図である。
【図４】本実施形態による振動情報の２つの触質パラメータを説明するための図である。
【図５】第１の実施形態によるサーバ装置の機能構成例を示すブロック図である。
【図６】第１の実施形態によるユーザ端末の機能構成例を示すブロック図である。
【図７】第１の実施形態によるシート情報記憶部および振動情報記憶部に記憶される情報の例を示す図である。
【図８】第１の実施形態によるシート情報記憶部および振動情報記憶部に記憶される情報の例を示す図である。
【図９】第１の実施形態によるシート情報記憶部および振動情報記憶部に記憶される情報の例を示す図である。
【図１０】第１の実施形態によるシート情報記憶部および振動情報記憶部に記憶される情報の例を示す図である。
【図１１】第２の実施形態によるサーバ装置の機能構成例を示すブロック図である。
【図１２】第２の実施形態によるユーザ端末の機能構成例を示すブロック図である。
【図１３】第２の実施形態によるシート情報記憶部および振動情報記憶部に記憶される情報の例を示す図である。
【図１４】第２の実施形態によるシート情報記憶部および振動情報記憶部に記憶される情報の例を示す図である。
【図１５】第２の実施形態によるシート情報記憶部および振動情報記憶部に記憶される情報の例を示す図である。
【図１６】第３の実施形態によるサーバ装置の機能構成例を示すブロック図である。
【図１７】第３の実施形態によるユーザ端末の機能構成例を示すブロック図である。
【図１８】第３の実施形態によるシート情報記憶部および振動情報記憶部に記憶される情報の例を示す図である。
【図１９】第３の実施形態によるシート情報記憶部および振動情報記憶部に記憶される情報の例を示す図である。
【図２０】シート情報記憶部および振動情報記憶部に記憶される情報の他の例を示す図である。
【図２１】シート情報記憶部および振動情報記憶部に記憶される情報の他の例を示す図である。
【図２２】シート情報記憶部および振動情報記憶部に記憶される情報の他の例を示す図である。
【図２３】シート情報記憶部および振動情報記憶部に記憶される情報の他の例を示す図である。
【図２４】シート情報記憶部および振動情報記憶部に記憶される情報の他の例を示す図である。
【発明を実施するための形態】
【００１５】
以下、本発明の一実施形態を図面に基づいて説明する。図１は、本実施形態によるコンポーネント提示システムの全体構成例を示す図である。図１に示すように、本実施形態のコンポーネント提示システムは、サーバ装置１００およびユーザ端末２００を備えて構成される。サーバ装置１００およびユーザ端末２００は、インターネットや携帯電話網などの通信ネットワーク５００を介して接続可能に構成されている。
【００１６】
サーバ装置１００は、特許請求の範囲のコンポーネント提示装置に相当するものであり、マッサージ装置３００において使用するコンポーネントであるシート３０１および振動に関する情報をユーザ端末２００に提示する。マッサージ装置３００は、ユーザの顔に被せて使用するシート３０１と、当該シート３０１を介してユーザの顔に振動を付与するマスク３０２とを含んで構成される。マスク３０２は、特許請求の範囲の「振動供給体」の一例である。
【００１７】
シート３０１は、特許請求の範囲の振動媒体およびシート状部材の一例であり（振動媒体⊇シート状部材⊇シート３０１）、例えばコットン、パルプ、レーヨン、ポリエステルなどの繊維素材から成り、顔に直接被せて使用する。シート３０１は、顔のほぼ全体が隠れるような大きさの楕円形状または卵型形状をしたものであり、目の部分と鼻の部分には穴が開いている。このシート３０１には、化粧液が含まれている。シート３０１は、繊維素材のきめの細かさまたは柔らかさ、化粧液の含有量または含有成分などが異なる複数のタイプが存在し、ユーザは何れかのタイプのシート３０１を選んで使用することが可能である。
【００１８】
マスク３０２は、顔に被せたシート３０１の上から更に被せて使用するものであり、シート３０１を振動させて、当該シート３０１を介して顔全体に振動を与えるための装置である。このマスク３０２に関しても、目の部分と鼻の部分に穴が開いている。マスク３０２の顎の部分には、振動素子や振動モータ等の振動付与体３０２Ａが設置されている。後述するように、ユーザの顔に付与する振動にも複数のタイプが存在し、ユーザは何れかのタイプの振動を選んで使用することが可能である。なお、振動付与体３０２Ａが設置される場所は顎の部分に限定されるものではない。
【００１９】
本実施形態のサーバ装置１００（コンポーネント提示装置）は、マッサージ装置３００を利用する際にユーザが選んで使用することが可能なシート３０１および振動に関して、ユーザ端末２００から提供されるコンテクスト情報に従って、ユーザが顔のマッサージを受ける際のコンテクストに適したタイプのシート３０１および振動を推薦する情報（以下、コンポーネント推薦情報という）をユーザ端末２００に提示する。ユーザが顔のマッサージを受ける際のコンテクストとは、ユーザがマッサージを受ける事情または背景のことであり、例えば、ユーザの顔の肌状態、心理状態（気分）、マッサージ装置３００を利用する目的（用途）などである。
【００２０】
ユーザ端末２００は、例えばスマートフォンまたはタブレット端末のような携帯端末であり、以下に説明する本実施形態の処理を実行するために必要なアプリケーション（以下、振動マッサージアプリという）がインストールされている。この振動マッサージアプリは、サーバ装置１００にコンテクスト情報を送信し、その応答としてコンポーネント推薦情報の提供を受ける機能や、サーバ装置１００から提供されたコンポーネント推薦情報に含まれる振動情報をマスク３０２に出力する機能、コンポーネント推薦情報に含まれる媒体関連情報をディスプレイに表示する機能などを有している。
【００２１】
図２は、本実施形態によるサーバ装置１００（コンポーネント提示装置）の機能構成例を示すブロック図である。図２に示すように、サーバ装置１００は、機能構成として、通信部１１、コンテクスト情報取得部１２、媒体関連情報取得部１３、振動情報取得部１４および取得情報提示部１５を備えている。また、サーバ装置１００には、媒体関連情報記憶部１０１および振動情報記憶部１０２が接続されている。なお、サーバ装置１００が媒体関連情報記憶部１０１および振動情報記憶部１０２を内蔵する構成であってもよい。
【００２２】
上記各機能ブロック１１〜１５は、ハードウェア、ＤＳＰ（Digital Signal Processor）、ソフトウェアの何れによっても構成することが可能である。例えばソフトウェアによって構成する場合、上記各機能ブロック１１〜１５は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたコンポーネント提示用プログラムが動作することによって実現される。
【００２３】
媒体関連情報記憶部１０１は、固有の触覚効果を持った複数タイプのシート３０１を示す複数のシート情報（特許請求の範囲の媒体関連情報に相当）をそれぞれ複数のコンテクスト情報の何れかに対応付けて記憶する。シート情報は、例えば、シートのタイプ名、名称、型番などを含む情報である。シートの画像を更に含めてシート情報を構成してもよい。
【００２４】
上述のように、シート３０１は、繊維素材のきめの細かさまたは柔らかさ、化粧液の含有量または含有成分などが異なる複数のタイプが存在する。これら複数のタイプのシート３０１は、繊維素材のきめの細かさ、柔らかさ、化粧液の含有量または含有成分によって触覚効果が異なる。
【００２５】
例えば、きめの細かいシート３０１はなめらかな触覚効果を有し、きめが粗いシート３０１はざらざらした触覚効果を有する。また、柔らかいシート３０１はふわふわした触覚効果を有し、硬いシート３０１はごわごわした触覚効果を有する。また、化粧液の含有量が多いシート３０１はしっとりした触覚効果を有し、含有量が少ないシート３０１はさらさらした触覚効果を有する。また、化粧液においてグリセリンの含有量が多いシート３０１はネバネバした触覚効果を有し、グリセリンの含有量が少ないシート３０１はさらさらした触覚効果を有する。
【００２６】
媒体関連情報記憶部１０１は、以上のような固有の触覚効果を持った複数タイプのシート３０１を示す複数のシート情報のそれぞれを、複数のコンテクスト情報の何れかに対応付けて記憶する。複数のコンテクスト情報とは、１つのコンテクストについて分類した複数のカテゴリに関する情報を意味する。例えば、ユーザのコンテクストが「顔の肌状態」である場合、複数のコンテクスト情報は、例えば乾燥肌や脂性肌といった肌状態のカテゴリ情報を指す。また、ユーザのコンテクストが「心理状態」である場合、複数のコンテクスト情報は、例えば落ち着きたい気分、活性化したい気分、穏やかな気分、刺激を求める気分といった各種気分のカテゴリ情報を指す。また、ユーザのコンテクストが「マッサージ装置３００を利用する目的」である場合、複数のコンテクスト情報は、例えば保湿、抗菌といった用途別のカテゴリ情報を指す。
【００２７】
振動情報記憶部１０２は、固有の触覚効果を持った複数タイプの振動情報をそれぞれ複数のシート情報（媒体関連情報）の何れかに対応付けて記憶する。上述のように、振動にも複数のタイプが存在し、タイプ毎に触覚効果が異なる。振動情報の触覚効果は、振動情報が有する固有の触質パラメータまたはこの触質パラメータから算出される触質特徴量によって特定される。
【００２８】
触質パラメータは、例えば＜硬い−柔らかい＞、＜粗い−滑らか＞のように対立する触質（以下、触質対という）の程度を表すパラメータであり、触感の一要素を成すものである。例えば、＜硬い−柔らかい＞という触質対に関する触質パラメータとして、振動波形の強度（第１の触質パラメータｈ）を用いることが可能である。すなわち、強度を表す値が大きいほど硬いことを表し、強度を表す値が小さいほど柔らかいことを表す。また、＜粗い−滑らか＞という触質対に関する触質パラメータとして、振動波形の分割区間の長さ（第２の触質パラメータｔ）を用いることが可能である。すなわち、分割区間の長さを表す値が大きいほど滑らかであることを表し、長さを表す値が小さいほど粗いことを表す。
【００２９】
図４は、２つの触質パラメータｈ，ｔを説明するための図であり、振動情報の波形（以下、振動波形という）を模式的に示している。図４に示すように、振動波形を時間軸方向に複数に分割する。図４では一例として、振動波形の振幅が極小となる時間毎に分割している。すなわち、振動波形の開始点から１つ目の極小値までを第１の分割区間Ｔ１、１つ目の極小値から２つ目の極小値までを第２の分割区間Ｔ２、２つ目の極小値から３つ目の極小値までを第３の分割区間Ｔ３、・・・のように、振動波形を時間軸方向に複数に分割している。
【００３０】
なお、振動波形の分割のし方は、図４に示した例に限定されない。例えば、振幅が極大となる時間毎に振動波形を複数の区間に分割するようにしてもよい。あるいは、正の値の振幅および負の値の振幅がある振動情報の場合は、振幅値がゼロとなる時間毎に振動波形を複数の区間に分割するようにしてもよい。
【００３１】
そして、それぞれの分割区間Ｔ１，Ｔ２，Ｔ３，・・・から、第１の触質パラメータとして代表振幅ｈ１，ｈ２，ｈ３，・・・を特定するとともに、第２の触質パラメータとして分割区間の時間の長さｔ１，ｔ２，ｔ３，・・・を特定する。ここで、代表振幅ｈ１，ｈ２，ｈ３，・・・は、それぞれの分割区間Ｔ１，Ｔ２，Ｔ３，・・・における開始点の極小値または終了点の極小値のうち値が大きい方と、分割区間Ｔ１，Ｔ２，Ｔ３，・・・における極大値との差分の値を示している。
【００３２】
すなわち、分割区間Ｔ１に関しては、極小値が１つしかないので、この極小値と極大値との差分が代表振幅ｈ１となる。分割区間Ｔ２に関しては、当該区間の開始点の極小値の方が終了点の極小値よりも大きいので、開始点の極小値と極大値との差分が代表振幅ｈ２となる。分割区間Ｔ３に関しては、当該区間の開始点の極小値よりも終了点の極小値の方が大きいので、終了点の極小値と極大値との差分が代表振幅ｈ３となる。
【００３３】
なお、ここで示した代表振幅の特定方法は一例であり、これに限定されるものではない。例えば、それぞれの分割区間Ｔ１，Ｔ２，Ｔ３，・・・における開始点の極小値または終了点の極小値のうち値が小さい方と、分割区間Ｔ１，Ｔ２，Ｔ３，・・・における極大値との差分を代表振幅として特定するようにしてもよい。
【００３４】
また、正の値の振幅および負の値の振幅がある振動情報を、振幅値がゼロとなる時間毎に分割した場合は、各分割区間における正の極大値または負の極小値を第１の触質パラメータｈの代表振幅として特定するようにしてもよい。ここで、負の極小値に関しては、その絶対値を第１の触質パラメータｈの代表振幅として特定するようにしてもよい。
【００３５】
第１の触質パラメータｈは、例えば、以上のように複数の分割区間ごとに特定した代表振幅ｈ１，ｈ２，ｈ３，・・・の平均値、最大値、最小値または中央値とする。また、第２の触質パラメータｔは、以上のように複数の分割区間ごとに特定した時間の長さｔ１，ｔ２，ｔ３，・・・の平均値、最大値、最小値または中央値とする。
【００３６】
次に、以上のように複数の分割区間ごとに特定した第１の触質パラメータ（代表振幅ｈ１，ｈ２，ｈ３，・・・）および第２の触質パラメータ（分割区間の時間の長さｔ１，ｔ２，ｔ３，・・・）に基づいて算出される触質特徴量について説明する。本実施形態では、第１の触質パラメータと第２の触質パラメータとを用いた四則演算値を算出し、同じ四則演算値が現れる区間の長さを第１の触質特徴量Ｐ１として算出する。また、四則演算値の多様度を第２の触質特徴量Ｐ２として算出する。
【００３７】
例えば、分割区間の数がｎ個の場合、それぞれの分割区間Ｔｉ（ｉ＝１〜ｎ）ごとにｈｉ／ｔｉの値を求める。そして、同じｈｉ／ｔｉの値が出現する区間の長さを第１の触質特徴量Ｐ１として算出する。例えば、分割区間Ｔ１におけるｈ１／ｔ１の値と、分割区間Ｔ３におけるｈ３／ｔ３の値とが同じになった場合、第１の触質特徴量Ｐ１は、次の式により求められる。
Ｐ１＝ｔ１＋ｔ２
【００３８】
あるいは、同じｈｉ／ｔｉの値が出現するまでの区間数を区間の長さとして、第１の触質特徴量Ｐ１を算出するようにしてもよい。この場合、上述した例のケースでは、分割区間Ｔ１から分割区間Ｔ３までの区間数である“２”が第１の触質特徴量Ｐ１ということになる。
【００３９】
なお、同じｈｉ／ｔｉの値が出現する区間が複数存在する場合は、それぞれの区間ごとに第１の触質特徴量Ｐ１を算出し、その平均値を最終的な第１の触質特徴量Ｐ１として決定する。あるいは、平均値に代えて、最大値、最小値、中央値などを第１の触質特徴量Ｐ１として決定するようにしてもよい。
【００４０】
また、分割区間ごとに算出した複数のｈｉ／ｔｉの値の分散を第２の触質特徴量Ｐ２として算出する。すなわち、第２の触質特徴量Ｐ２は、次の式により求められる。
Ｐ２＝Σ（ｈｉ／ｔｉ−ｍ）2／ｎ  （ｉ＝１〜ｎ）
ただし、ｍはｈｉ／ｔｉ（ｉ＝１〜ｎ）の平均値
【００４１】
上記のように求められる第１の触質特徴量Ｐ１は、振動情報が潜在的に持っている触感のリズムを表している。また、第２の触質特徴量Ｐ２は、振動情報が潜在的に持っている触感の多様度を表している。本実施形態では、この触感のリズムおよび多様度を示唆する２種類の触質特徴量Ｐ１，Ｐ２によって、振動情報が有する固有の触覚効果を特定するようにしている。
【００４２】
なお、ここではｈｉ／ｔｉの値を算出しているが、他の四則演算値を算出するようにしてもよい。例えば、ｔｉ／ｈｉの値、ｈｉ×ｔｉの値、ｈｉ＋ｔｉの値、ｈｉ−ｔｉの値などを算出するようにしてもよい。
【００４３】
本実施形態では、あらかじめ用意した複数の振動情報について、以上説明した第１の触質パラメータｈ、第２の触質パラメータｔ、第１の触質特徴量Ｐ１および第２の触質特徴量Ｐ２を算出し、これらの情報の何れか１つまたは複数の組み合わせに基づいて、複数の振動情報をそれぞれ複数タイプの何れかに分類する。そして、分類した複数タイプの振動情報をそれぞれ、複数タイプのシート情報の何れかに対応付けて振動情報記憶部１０２に記憶させる。
【００４４】
通信部１１は、通信ネットワーク５００を介してユーザ端末２００との間で通信を行う。例えば、通信部１１は、ユーザ端末２００からコンテクスト情報を受信し、コンテクストに適したタイプのシート３０１および振動を示したコンポーネント推薦情報をユーザ端末２００に送信する。
【００４５】
コンテクスト情報取得部１２は、ユーザが顔のマッサージを受ける際のコンテクストを示すコンテクスト情報をユーザ端末２００から取得する。すなわち、コンテクスト情報取得部１２は、ユーザの顔の肌状態、心理状態（気分）、またはマッサージ装置３００を利用する目的（用途）の何れかに関するコンテクスト情報を、通信部１１を介してユーザ端末２００から取得する。
【００４６】
媒体関連情報取得部１３は、コンテクスト情報取得部１２により取得されたコンテクスト情報に基づいて、コンテクストに応じたタイプのシート３０１に関するシート情報を媒体関連情報記憶部１０１から取得する。上述したように、媒体関連情報記憶部１０１には、固有の触覚効果を持った複数タイプのシート３０１を示す複数のシート情報が、複数のコンテクスト情報と対応付けて記憶されている。媒体関連情報取得部１３は、この媒体関連情報記憶部１０１の情報を参照し、コンテクスト情報取得部１２により取得されたコンテクスト情報に対応付けて記憶されているシート情報を取得する。
【００４７】
振動情報取得部１４は、媒体関連情報取得部１３により取得されたシート情報により示されるタイプのシート３０１に応じた振動情報を振動情報記憶部１０２から取得する。上述したように、振動情報記憶部１０２には、固有の触覚効果を持った複数タイプの振動情報が、それぞれ複数のシート情報の何れかに対応付けて記憶されている。振動情報取得部１４は、媒体関連情報取得部１３により取得されたシート情報に対応付けて記憶されている振動情報を振動情報記憶部１０２から取得する。
【００４８】
取得情報提示部１５は、媒体関連情報取得部１３により取得されたシート情報および振動情報取得部１４により取得された振動情報をユーザ端末２００に提示する。すなわち、取得情報提示部１５は、シート情報および振動情報をコンポーネント推薦情報として、通信部１１を介してユーザ端末２００に送信する。
【００４９】
図３は、本実施形態によるユーザ端末２００の機能構成例を示すブロック図である。図３に示すように、ユーザ端末２００は、機能構成として、通信部２１、コンテクスト情報取得部２２、コンテクスト情報送信部２３、推薦情報受信部２４、振動情報送信部２５および表示制御部２６を備えている。また、ユーザ端末２００は、記憶媒体として、推薦情報記憶部２０１を備えている。
【００５０】
上記各機能ブロック２１〜２６は、ハードウェア、ＤＳＰ、ソフトウェアの何れによっても構成することが可能である。例えばソフトウェアによって構成する場合、上記各機能ブロック２１〜２６は、実際にはコンピュータのＣＰＵ、ＲＡＭ、ＲＯＭなどを備えて構成され、ＲＡＭやＲＯＭ、ハードディスクまたは半導体メモリ等の記録媒体に記憶された振動マッサージアプリのプログラムが動作することによって実現される。
【００５１】
通信部２１は、通信ネットワーク５００を介してサーバ装置１００との間で通信を行う。例えば、通信部２１は、サーバ装置１００にコンテクスト情報を送信し、コンテクストに適したタイプのシート３０１および振動を示したコンポーネント推薦情報をサーバ装置１００から受信する。
【００５２】
コンテクスト情報取得部２２は、ユーザの顔の肌状態、気分、またはマッサージ装置３００の利用目的の何れかに関するコンテクスト情報を所定の方法によって取得する。例えば、コンテクスト情報取得部２２は、何れかのコンテクストを選択するための操作を可能にしたユーザインタフェースを有する操作画面をユーザ端末２００のディスプレイに表示させ、所望のコンテクストをユーザに選択させることにより、選択されたコンテクストに関するコンテクスト情報を取得する。
【００５３】
コンテクスト情報送信部２３は、コンテクスト情報取得部２２により取得されたコンテクスト情報を、通信部２１を介してサーバ装置１００に送信する。
【００５４】
推薦情報受信部２４は、サーバ装置１００の取得情報提示部１５により送信されたコンポーネント推薦情報を、通信部２１を介して受信する。そして、推薦情報受信部２４は、受信したコンポーネント推薦情報を推薦情報記憶部２０１に記憶させる。
【００５５】
振動情報送信部２５は、推薦情報記憶部２０１に記憶されたコンポーネント推薦情報のうち、振動情報をマスク３０２に送信する。マスク３０２は、振動情報送信部２５により送信された振動情報に基づいて、振動付与体３０２Ａによって振動を付与する。振動情報送信部２５による振動情報の送信は、ユーザ端末２００に対するユーザによる送信指示に応じて行う。例えば、マッサージの開始を指示するための操作ボタンを有する操作画面をユーザ端末２００のディスプレイに表示させ、当該操作ボタンがユーザにより操作されたときに、振動情報送信部２５が振動情報をマスク３０２に送信する。
【００５６】
表示制御部２６は、推薦情報記憶部２０１に記憶されたコンポーネント推薦情報のうち、シート情報をユーザ端末２００のディスプレイに表示させる。ユーザは、このように表示されたシート情報を確認し、当該シート情報により示されるタイプのシート３０１を使用することが可能である。すなわち、シート情報により示されるタイプのシート３０１を顔に被せ、その上から更にマスク３０２を被せた状態にして、操作画面においてマッサージの開始を指示するための操作ボタンを操作する。これにより、ユーザは、自ら選択した所望のコンテクストに適したシート３０１を使用し、当該コンテクストに適した振動を使って顔のマッサージを受けることができる。
【００５７】
以下に、具体的な実施形態を説明する。
【００５８】
（第１の実施形態）
まず、ユーザが顔のマッサージを受ける際のコンテクストとして「顔の肌状態」を用いる場合を示す第１の実施形態について説明する。図５は、第１の実施形態によるサーバ装置１００Ａの機能構成例を示すブロック図である。この図５において、図２に示した符号と同一の符号を付したものは同一の機能を有するものであるので、ここでは重複する説明を省略する。
【００５９】
図５に示すように、第１の実施形態によるサーバ装置１００Ａは、機能構成として、通信部１１、肌状態取得部１２Ａ、シート情報取得部１３Ａ、振動情報取得部１４および取得情報提示部１５を備えている。また、サーバ装置１００Ａには、シート情報記憶部１０１Ａおよび振動情報記憶部１０２Ａが接続されている。
【００６０】
図６は、第１の実施形態によるユーザ端末２００Ａの機能構成例を示すブロック図である。この図６において、図３に示した符号と同一の符号を付したものは同一の機能を有するものであるので、ここでは重複する説明を省略する。図６に示すように、第１の実施形態によるユーザ端末２００Ａは、機能構成として、通信部２１、肌状態取得部２２Ａ、肌状態情報送信部２３Ａ、推薦情報受信部２４、振動情報送信部２５および表示制御部２６を備えている。また、ユーザ端末２００Ａは、記憶媒体として、推薦情報記憶部２０１を備えている。
【００６１】
図５に示すサーバ装置１００Ａのシート情報記憶部１０１Ａは、図２の媒体関連情報記憶部１０１に対応するものであり、固有の触覚効果を持った複数タイプのシート３０１を示す複数のシート情報をそれぞれ複数の肌状態情報の何れかに対応付けて記憶する。ここで、複数の肌状態情報とは、例えば、乾燥肌または脂性肌といった肌状態のカテゴリを示す情報である。また、振動情報記憶部１０２Ａは、図２の振動情報記憶部１０２に対応するものであり、固有の触覚効果を持った複数タイプの振動情報をそれぞれ複数のシート情報の何れかに対応付けて記憶する。
【００６２】
図７は、シート情報記憶部１０１Ａに記憶される情報および振動情報記憶部１０２Ａに記憶される情報の一例を模式的に示す図である。図７（ａ）に示すように、シート情報記憶部１０１Ａは、なめらかな触覚効果を有するタイプＳ１（繊維素材のきめが細かいタイプ）のシート３０１に関するシート情報を「乾燥肌」の肌状態情報に関連付けるとともに、ざらざらした触覚効果を有するタイプＳ２（繊維素材のきめが粗いタイプ）のシート３０１に関するシート情報を「脂性肌」の肌状態情報に関連付けて記憶している。ここで記憶するシート状情報は、シートのタイプ名、名称、型番などを含む情報である（図８以降も同様である）。
【００６３】
また、図７（ｂ）に示すように、振動情報記憶部１０２Ａは、第２の触質パラメータｔが大きくてなめらかな触覚効果を有するタイプＦ１の振動情報をタイプＳ１のシート情報に関連付けるとともに、第２の触質パラメータｔが小さくて粗い触覚効果を有するタイプＦ２の振動情報をタイプＳ２のシート情報に関連付けて記憶している。ここで記憶するシート情報は、少なくともどのタイプであるかを識別可能な情報であればよく、例えばシートのタイプ名である（図８以降も同様）。
【００６４】
このように、図７に示す情報は、肌状態として「乾燥肌」を選択したユーザに対して、なめらかな触覚効果を有するシート３０１と、なめらかな触覚効果を有する振動とをコンポーネント推薦情報として提示する一方、肌状態として「脂性肌」を選択したユーザに対して、ざらざらした触覚効果を有するシート３０１と、粗い触覚効果を有する振動とをコンポーネント推薦情報として提示する内容となっている。すなわち、肌に直接触れるシート３０１のタイプを肌状態に適した触覚効果を有するものにするとともに、そのシート３０１に付与する振動もシート３０１と同様の触覚効果を有するものにすることにより、シート３０１が有する触覚効果を振動によって増長させることができるようにしている。
【００６５】
ユーザ端末２００Ａの肌状態取得部２２Ａは、ユーザの顔の肌状態を示す肌状態情報を所定の方法によって取得する。例えば、肌状態取得部２２Ａは、何れかの肌状態を選択するための操作を可能にしたユーザインタフェースを有する操作画面をユーザ端末２００Ａのディスプレイに表示させ、所望の肌状態をユーザに選択させることにより、選択された肌状態を示す肌状態情報を取得する。肌状態情報送信部２３Ａは、肌状態取得部２２Ａにより取得された肌状態情報をサーバ装置１００Ａに送信する。サーバ装置１００Ａの肌状態取得部１２Ａは、ユーザ端末２００Ａから送信された肌状態情報を取得する。
【００６６】
シート情報取得部１３Ａは、肌状態取得部１２Ａにより取得された肌状態情報に基づいて、ユーザの顔の肌状態に応じたタイプのシート３０１に関するシート情報をシート情報記憶部１０１Ａから取得する。図７（ａ）の例において、肌状態取得部１２Ａにより取得された肌状態情報が「乾燥肌」を示すものである場合、シート情報取得部１３ＡはタイプＳ１のシート情報を取得する。一方、肌状態取得部１２Ａにより取得された肌状態情報が「脂性肌」を示すものである場合、シート情報取得部１３ＡはタイプＳ２のシート情報を取得する。
【００６７】
振動情報取得部１４は、シート情報取得部１３Ａにより取得されたシート情報により示されるタイプのシート３０１に応じた振動情報を振動情報記憶部１０２Ａから取得する。図７（ｂ）の例において、シート情報取得部１３Ａにより取得されたシート情報が「タイプＳ１」を示すものである場合、振動情報取得部１４はタイプＦ１の振動情報を取得する。一方、シート情報取得部１３Ａにより取得されたシート情報が「タイプＳ２」を示すものである場合、振動情報取得部１４はタイプＦ２の振動情報を取得する。
【００６８】
取得情報提示部１５は、シート情報取得部１３Ａにより取得されたシート情報および振動情報取得部１４により取得された振動情報をユーザ端末２００に提示する。すなわち、取得情報提示部１５は、上述のようにして取得されたシート情報および振動情報をコンポーネント推薦情報としてユーザ端末２００Ａに送信する。
【００６９】
ユーザ端末２００Ａの推薦情報受信部２４は、サーバ装置１００Ａの取得情報提示部１５により送信されたコンポーネント推薦情報を受信し、推薦情報記憶部２０１に記憶させる。振動情報送信部２５は、推薦情報記憶部２０１に記憶されたコンポーネント推薦情報のうち、振動情報をマスク３０２に送信する。表示制御部２６は、推薦情報記憶部２０１に記憶されたコンポーネント推薦情報のうち、シート情報をユーザ端末２００Ａのディスプレイに表示させる。
【００７０】
以上のように構成した第１の実施形態によれば、マッサージ装置３００を用いてマッサージを受けるユーザが自分の顔の肌状態として「乾燥肌」または「脂性肌」の何れかを選択すると、その選択した肌状態に対応付けられたシート３０１および振動を示すコンポーネント推薦情報がユーザに提示される。ユーザは、このように提示されたシート３０１および振動を用いてマッサージ装置３００を使用することにより、ユーザの顔の肌状態に適したシート３０１および振動を使ってマッサージを受けることができる。特に、本実施形態では、ユーザの肌状態に適したシート３０１が有する触覚効果と同様の触覚効果を有する振動が提示されるので、肌状態に適した触覚効果を増長させた状態でマッサージを受けることが可能となる。
【００７１】
なお、図７に示した情報は単なる一例であり、これに限定されるものではない。例えば、シート情報記憶部１０１Ａおよび振動情報記憶部１０２Ａは、図８（ａ）および（ｂ）に示すような情報を記憶するものとしてもよい。
【００７２】
図８（ａ）に示すように、シート情報記憶部１０１Ａは、なめらかな触覚効果を有するタイプＳ１（繊維素材のきめが細かいタイプ）のシート３０１に関するシート情報を「乾燥肌」の肌状態情報に関連付けるとともに、ざらざらした触覚効果を有するタイプＳ２（繊維素材のきめが粗いタイプ）のシート３０１に関するシート情報を「脂性肌」の肌状態情報に関連付けて記憶する。これは、図７（ａ）に示した情報と同じである。
【００７３】
また、図８（ｂ）に示すように、振動情報記憶部１０２Ａは、第２の触質特徴量Ｐ２が小さくてなめらかな触覚効果を有するタイプＦ３の振動情報をタイプＳ１のシート情報に関連付けるとともに、第２の触質特徴量Ｐ２が大きくて粗い触覚効果を有するタイプＦ４の振動情報をタイプＳ２のシート情報に関連付けて記憶している。
【００７４】
別の例として、シート情報記憶部１０１Ａおよび振動情報記憶部１０２Ａは、図９（ａ）および（ｂ）に示すような情報を記憶するものとしてもよい。
【００７５】
図９（ａ）に示すように、シート情報記憶部１０１Ａは、なめらかでふわふわした触覚効果を有するタイプＳ１１（繊維素材のきめが細かくて柔らかいタイプ）のシート３０１に関するシート情報、なめらかであるがごわごわした触覚効果を有するタイプＳ１２（繊維素材のきめが細かくて硬いタイプ）のシート３０１に関するシート情報、ざらざらであるがふわふわした触覚効果を有するタイプＳ１３（繊維素材のきめが粗くて柔らかいタイプ）のシート３０１に関するシート情報、ざらざらでごわごわした触覚効果を有するタイプＳ１４（繊維素材のきめが粗くて硬いタイプ）のシート３０１に関するシート情報を、それぞれ乾燥肌、混合肌、普通肌、脂性肌の肌状態情報に関連付けて記憶する。
【００７６】
また、図９（ｂ）に示すように、振動情報記憶部１０２Ａは、第２の触質パラメータｔが大きくてなめらかな触覚効果を有し、かつ、第１の触質パラメータｈが小さくて柔らかい触覚効果を有するタイプＦ１１の振動情報、第２の触質パラメータｔが大きくてなめらかな触覚効果を有し、かつ、第１の触質パラメータｈも大きくて硬い触覚効果を有するタイプＦ１２の振動情報、第２の触質パラメータｔが小さくて粗い触覚効果を有し、かつ、第１の触質パラメータｈも小さくて柔らかい触覚効果を有するタイプＦ１３の振動情報、第２の触質パラメータｔが小さくて粗い触覚効果を有し、かつ、第１の触質パラメータｈが大きくて硬い触覚効果を有するタイプＦ１４の振動情報を、それぞれタイプＳ１１，Ｓ１２，Ｓ１３，Ｓ１４のシート情報に関連付けて記憶している。
【００７７】
別の例として、シート情報記憶部１０１Ａおよび振動情報記憶部１０２Ａは、図１０（ａ）および（ｂ）に示すような情報を記憶するものとしてもよい。
【００７８】
図１０（ａ）に示すように、シート情報記憶部１０１Ａは、しっとりした触覚効果を有するタイプＳ２１（化粧液の含有量が多いタイプ）のシート３０１に関するシート情報を「乾燥肌」の肌状態情報に関連付けるとともに、さらさらした触覚効果を有するタイプＳ２２（化粧液の含有量が少ないタイプ）のシート３０１に関するシート情報を「脂性肌」の肌状態情報に関連付けて記憶する。
【００７９】
また、図１０（ｂ）に示すように、振動情報記憶部１０２Ａは、第１の触質パラメータｈが小さくて柔らかい触覚効果を有するタイプＦ２１の振動情報をタイプＳ２１のシート情報に関連付けるとともに、第１の触質パラメータｈが大きくて硬い触覚効果を有するタイプＦ２２の振動情報をタイプＳ２２のシート情報に関連付けて記憶している。
【００８０】
図８〜図１０のように示した例においても、マッサージを受けるユーザが選択した自分の顔の肌状態に適したシート３０１および振動を示すコンポーネント推薦情報がユーザに提示される。これにより、ユーザは、自分の顔の肌状態に適したシート３０１および振動を使って、肌状態に適した触覚効果を増長させた状態で振動マッサージを受けることができる。
【００８１】
なお、以上に示した例以外にも様々な実施形態を適用し得る。例えば、図８では、ユーザの肌状態を「乾燥肌」と「脂性肌」の２つのカテゴリに分ける例を示したが、肌状態情報は、ユーザの顔の肌状態を複数レベルの何れに該当するかを示す情報としてもよい。例えば、肌の乾燥の程度または脂性の程度に応じて３段階以上のカテゴリに分けるようにしてもよい。この場合、シート３０１のタイプを繊維素材のきめ細かさの程度に応じて３つ以上に分けるとともに、振動情報のタイプを第２の触質パラメータｔの大きさの程度に応じて３つ以上に分けるようにしてよい。図１０に示した例についても同様に、３つ以上のカテゴリに分けるようにしてもよい。
【００８２】
また、図７〜図１０に示した例は何れにおいても、１つの肌状態に対して１つのタイプのシート３０１を対応付け、１つのタイプのシート３０１に対して１つの振動情報を対応付ける構成としているが、これに限定されない。例えば、１つの肌状態に対して複数のタイプ（例えば、同じ触覚効果でその程度が異なるタイプ）のシート３０１を対応付けるようにしてもよい。同様に、１つのタイプのシート３０１に対して複数のタイプ（例えば、同じ触覚効果でその程度が異なるタイプ）の振動情報を対応付けるようにしてもよい。
【００８３】
あるいは、１つの肌状態に対して異なる触覚効果を有する複数のタイプのシート３０１を対応付けるようにしてもよい。例えば、「乾燥肌」の肌状態に対して、図７（ａ）に示したタイプＳ１および図１０（ａ）に示したタイプＳ２１のシート３０１を対応付けるとともに、「脂性肌」の肌状態に対して、図７（ａ）に示したタイプＳ２および図１０（ａ）に示したタイプＳ２２のシート３０１を対応付けるといった具合である。
【００８４】
同様に、１つのタイプのシート３０１に対して異なる触覚効果を有する複数のタイプの振動情報を対応付けるようにしてもよい。例えば、図７（ｂ）に示したタイプＳ１のシート３０１に対して図７（ｂ）に示したタイプＦ１および図８（ｂ）に示したタイプＦ３の振動情報を対応付けるとともに、図７（ｂ）に示したタイプＳ２のシート３０１に対して図７（ｂ）に示したタイプＦ２および図８（ｂ）に示したタイプＦ４の振動情報を対応付けるといった具合である。
【００８５】
このように、シート情報取得部１３Ａが、肌状態取得部１２Ａにより取得されたユーザの肌状態情報に応じて複数のタイプのシート３０１に関する複数のシート情報を取得し、取得情報提示部１５が、シート情報取得部１３Ａにより取得された複数のシート情報をユーザ端末２００Ａに提示するようにしてよい。また、振動情報取得部１４が、シート情報取得部１３Ａにより取得されたシート情報により示されるタイプのシート３０１に応じて複数のタイプの振動情報を取得し、取得情報提示部１５が、振動情報取得部１４により取得された複数の振動情報をユーザ端末２００Ａに提示するようにしてよい。
【００８６】
この場合、取得情報提示部１５は、シート情報取得部１３Ａにより取得された複数のシート情報および振動情報取得部１４により取得された複数の振動情報を全てユーザ端末２００Ａに提示するようにしてよい。あるいは、次のようにしてもよい。すなわち、取得情報提示部１５が、シート情報取得部１３Ａにより取得された複数のシート情報をユーザ端末２００Ａに提示してユーザに何れかを選択させる。これに応じて振動情報取得部１４が、ユーザにより選択されたシート情報により示されるタイプのシート３０１に応じた振動情報のみを取得し、これを取得情報提示部１５がユーザ端末２００Ａに提示する。このように、シート情報の提示および振動情報の提示を２段階に分けて行う場合、振動情報の提示に関して、ユーザにより選択されたシート情報により示されるタイプのシート３０１に対応付けられた１つのタイプの振動情報を提示するようにしてもよいし、複数のタイプの振動情報を提示するようにしてもよい。
【００８７】
また、上記実施形態では、ユーザの肌状態をユーザ端末２００Ａに対する操作によってユーザ自身が選択する例について説明したが、本発明はこれに限定されない。例えば、ユーザ端末２００Ａの肌状態取得部２２Ａは、肌状態測定装置において測定された情報に基づいて分析されるユーザの肌状態を示す肌状態情報を取得するようにしてもよい。肌状態測定装置の一例は、肌の水分量を測定する水分測定器である。肌状態測定装置の他の例は、肌の油分量を測定する油分測定器である。
【００８８】
具体的には、肌状態取得部２２Ａは、水分測定器および油分測定器の少なくとも一方を用いて測定した情報を入力し、当該情報に基づいてユーザの肌状態を分析し、その分析結果として肌状態情報を取得するようにしてもよい。あるいは、肌状態取得部２２Ａは、水分量および油分量の少なくとも一方に関する測定値から肌状態を分析する機能を備えた外部装置から肌状態情報を取得するようにしてもよい。別の例として、水分量および油分量の少なくとも一方に関する測定値から肌状態を分析する機能を備えたアプリケーションをユーザ端末２００にインストールしておいて、当該アプリケーションから肌状態情報を取得するようにしてもよい。
【００８９】
なお、水分測定器および油分測定器の少なくとも一方を用いて測定した情報に基づいてユーザの肌状態を分析する処理は、任意の公知技術を適用することが可能である。例えば、肌の水分測および油分測の少なくとも一方、または水分測および油分測を所定の関数に適用して得られる指標値に関して１つまたは複数の閾値を設定しておき、その測定値と閾値とを比較することにより、ユーザの顔の肌状態を複数レベルの何れかに分類する処理を適用することが可能である。
【００９０】
（第２の実施形態）
次に、ユーザが顔のマッサージを受ける際のコンテクストとして「心理状態（気分）」を用いる場合を示す第２の実施形態について説明する。図１１は、第２の実施形態によるサーバ装置１００Ｂの機能構成例を示すブロック図である。この図１１において、図２に示した符号と同一の符号を付したものは同一の機能を有するものであるので、ここでは重複する説明を省略する。
【００９１】
図１１に示すように、第２の実施形態によるサーバ装置１００Ｂは、機能構成として、通信部１１、心理状態取得部１２Ｂ、シート情報取得部１３Ｂ、振動情報取得部１４および取得情報提示部１５を備えている。また、サーバ装置１００Ｂには、シート情報記憶部１０１Ｂおよび振動情報記憶部１０２Ｂが接続されている。
【００９２】
図１２は、第２の実施形態によるユーザ端末２００Ｂの機能構成例を示すブロック図である。この図１２において、図３に示した符号と同一の符号を付したものは同一の機能を有するものであるので、ここでは重複する説明を省略する。図１２に示すように、第２の実施形態によるユーザ端末２００Ｂは、機能構成として、通信部２１、心理状態取得部２２Ｂ、心理状態情報送信部２３Ｂ、推薦情報受信部２４、振動情報送信部２５および表示制御部２６を備えている。また、ユーザ端末２００Ｂは、記憶媒体として、推薦情報記憶部２０１を備えている。
【００９３】
図１１に示すサーバ装置１００Ｂのシート情報記憶部１０１Ｂは、図２の媒体関連情報記憶部１０１に対応するものであり、固有の触覚効果を持った複数タイプのシート３０１を示す複数のシート情報をそれぞれ複数の心理状態情報の何れかに対応付けて記憶する。ここで、複数の心理状態情報とは、例えば、落ち着きたい気分、活性化したい気分、穏やかな気分、刺激を求める気分といったユーザの各種気分のカテゴリを示す情報である。また、振動情報記憶部１０２Ｂは、図２の振動情報記憶部１０２に対応するものであり、固有の触覚効果を持った複数タイプの振動情報をそれぞれ複数のシート情報の何れかに対応付けて記憶する。
【００９４】
図１３は、シート情報記憶部１０１Ｂに記憶される情報および振動情報記憶部１０２Ｂに記憶される情報の一例を模式的に示す図である。図１３（ａ）に示すように、シート情報記憶部１０１Ｂは、なめらかな触覚効果を有するタイプＳ１（繊維素材のきめが細かいタイプ）のシート３０１に関するシート情報を「落着き」という気分の心理状態情報に関連付けるとともに、ざらざらした触覚効果を有するタイプＳ２（繊維素材のきめが粗いタイプ）のシート３０１に関するシート情報を「活性」とうい気分の心理状態情報に関連付けて記憶している。
【００９５】
また、図１３（ｂ）に示すように、振動情報記憶部１０２Ｂは、第１の触質特徴量Ｐ１が大きくてなめらかな触覚効果を有するタイプＦ３１の振動情報をタイプＳ１のシート情報に関連付けるとともに、第１の触質特徴量Ｐ１が小さくて粗い触覚効果を有するタイプＦ３２の振動情報をタイプＳ２のシート情報に関連付けて記憶している。
【００９６】
このように、図１３に示す情報は、心理状態（気分）として「落着き」を選択したユーザに対して、なめらかな触覚効果を有するシート３０１と、なめらかな触覚効果を有する振動とをコンポーネント推薦情報として提示する一方、心理状態として「活性」を選択したユーザに対して、ざらざらした触覚効果を有するシート３０１と、粗い触覚効果を有する振動とをコンポーネント推薦情報として提示する内容となっている。
【００９７】
ユーザ端末２００Ｂの心理状態取得部２２Ｂは、ユーザの気分を示す心理状態情報を所定の方法によって取得する。例えば、心理状態取得部２２Ｂは、何れかの気分を選択するための操作を可能にしたユーザインタフェースを有する操作画面をユーザ端末２００Ｂのディスプレイに表示させ、所望の心理状態をユーザに選択させることにより、当該ユーザによる操作画面に対する操作を通じて選択された心理状態を示す心理状態情報を取得する。心理状態情報送信部２３Ｂは、心理状態取得部２２Ｂにより取得された心理状態情報をサーバ装置１００Ｂに送信する。サーバ装置１００Ｂの心理状態取得部１２Ｂは、ユーザ端末２００Ｂから送信された心理状態情報を取得する。
【００９８】
シート情報取得部１３Ｂは、心理状態取得部１２Ｂにより取得された心理状態情報に基づいて、ユーザの心理状態（気分）に応じたタイプのシート３０１に関するシート情報をシート情報記憶部１０１Ｂから取得する。図１３（ａ）の例において、心理状態取得部１２Ｂにより取得された心理状態情報が「落着き」を示すものである場合、シート情報取得部１３ＢはタイプＳ１のシート情報を取得する。一方、心理状態取得部１２Ｂにより取得された心理状態情報が「活性」を示すものである場合、シート情報取得部１３ＢはタイプＳ２のシート情報を取得する。
【００９９】
振動情報取得部１４は、シート情報取得部１３Ｂにより取得されたシート情報により示されるタイプのシート３０１に応じた振動情報を振動情報記憶部１０２Ｂから取得する。図１３（ｂ）の例において、シート情報取得部１３Ｂにより取得されたシート情報が「タイプＳ１」を示すものである場合、振動情報取得部１４はタイプＦ３１の振動情報を取得する。一方、シート情報取得部１３Ｂにより取得されたシート情報が「タイプＳ２」を示すものである場合、振動情報取得部１４はタイプＦ３２の振動情報を取得する。
【０１００】
取得情報提示部１５は、シート情報取得部１３Ｂにより取得されたシート情報および振動情報取得部１４により取得された振動情報をユーザ端末２００Ｂに提示する。すなわち、取得情報提示部１５は、上述のようにして取得されたシート情報および振動情報をコンポーネント推薦情報としてユーザ端末２００Ｂに送信する。
【０１０１】
ユーザ端末２００Ｂの推薦情報受信部２４は、サーバ装置１００Ｂの取得情報提示部１５により送信されたコンポーネント推薦情報を受信し、推薦情報記憶部２０１に記憶させる。振動情報送信部２５は、推薦情報記憶部２０１に記憶されたコンポーネント推薦情報のうち、振動情報をマスク３０２に送信する。表示制御部２６は、推薦情報記憶部２０１に記憶されたコンポーネント推薦情報のうち、シート情報をユーザ端末２００Ｂのディスプレイに表示させる。
【０１０２】
以上のように構成した第２の実施形態によれば、マッサージ装置３００を用いてマッサージを受けるユーザが自分の心理状態として「落着き」または「活性」の何れかを選択すると、その選択した心理状態に対応付けられたシート３０１および振動を示すコンポーネント推薦情報がユーザに提示される。ユーザは、このように提示されたシート３０１および振動を用いてマッサージ装置３００を使用することにより、ユーザの心理状態に適したシート３０１および振動を使ってマッサージを受けることができる。特に、本実施形態では、ユーザの心理状態に適したシート３０１が有する触覚効果と同様の触覚効果を有する振動が提示されるので、心理状態に適した触覚効果を増長させた状態でマッサージを受けることが可能となる。
【０１０３】
なお、図１３に示した情報は単なる一例であり、これに限定されるものではない。例えば、シート情報記憶部１０１Ｂおよび振動情報記憶部１０２Ｂは、図１４（ａ）および（ｂ）に示すような情報を記憶するものとしてもよい。
【０１０４】
図１４（ａ）に示すように、シート情報記憶部１０１Ｂは、ふわふわした触覚効果を有し、かつ、柔らかい香りを有するタイプＳ４１（繊維素材が柔らかく、穏やかな気分を誘引する効果があることで知られている香り成分を含んだタイプ）のシート３０１に関するシート情報を「穏やか」という気分の心理状態情報に関連付ける一方、ごわごわした触覚効果を有し、かつ、刺激的な香りを有するタイプＳ４２（繊維素材が硬く、刺激的な気分を誘引する効果があることで知られている香り成分を含んだタイプ）のシート３０１に関するシート情報を「刺激」という気分の心理状態情報に関連付けて記憶する。
【０１０５】
また、図１４（ｂ）に示すように、振動情報記憶部１０２Ｂは、第１の触質特徴量Ｐ１が大きくてなめらかな触覚効果を有し、かつ、第１の触質パラメータｈが小さくて柔らかい触覚効果を有するタイプＦ４１の振動情報をタイプＳ４１のシート情報に関連付けるとともに、第１の触質特徴量Ｐ１が小さくて粗い触覚効果を有し、かつ、第１の触質パラメータｈが大きくて硬い触覚効果を有するタイプＦ４２の振動情報をタイプＳ４２のシート情報に関連付けて記憶している。
【０１０６】
なお、ここでは、シート３０１に含まれる香り成分の種類を要素としてシート３０１をタイプ分けする例について示したが、これに限定されない。例えば、シート３０１に含まれる同じ香り成分の含有量を要素としてシート３０１をタイプ分けするようにしてもよい。例えば、シート情報記憶部１０１Ｂは、ふわふわした触覚効果を有し、かつ、香りが弱いタイプ（繊維素材が柔らかく、所定の香り成分の含有量が少ないタイプ）のシート３０１に関するシート情報を「穏やか」という気分の心理状態情報に関連付ける一方、ごわごわした触覚効果を有し、かつ、香りが強いタイプＳ４２（繊維素材が硬く、所定の香り成分の含有量が多いタイプ）のシート３０１に関するシート情報を「刺激」という気分の心理状態情報に関連付けて記憶するようにしてもよい。
【０１０７】
別の例として、シート情報記憶部１０１Ｂおよび振動情報記憶部１０２Ｂは、図１５（ａ）および（ｂ）に示すような情報を記憶するものとしてもよい。
【０１０８】
図１５（ａ）に示すように、シート情報記憶部１０１Ｂは、なめらかな触覚効果を有し、かつ、寒色系の色を有するタイプＳ５１（繊維素材のきめが細かく、落ち着いた気分を誘引する効果があることで知られている寒色系の色を有するタイプ）のシート３０１に関するシート情報を「落着き」という気分の心理状態情報に関連付けるとともに、ざらざらした触覚効果を有し、かつ、暖色系の色を有するタイプＳ５２（繊維素材のきめが粗く、活性的な気分を誘引する効果があることで知られている暖色系の色を有するタイプ）のシート３０１に関するシート情報を「活性」という気分の心理状態情報に関連付けて記憶する。
【０１０９】
また、図１５（ｂ）に示すように、振動情報記憶部１０２Ｂは、第１の触質特徴量Ｐ１が大きくてなめらかな触覚効果を有し、かつ、第１の触質パラメータｈが小さくて柔らかい触覚効果を有するタイプＦ４１の振動情報をタイプＳ４１のシート情報に関連付けるとともに、第１の触質特徴量Ｐ１が小さくて粗い触覚効果を有し、かつ、第１の触質パラメータｈが大きくて硬い触覚効果を有するタイプＦ４２の振動情報をタイプＳ４２のシート情報に関連付けて記憶している。
【０１１０】
なお、以上に示した例以外にも様々な実施形態を適用し得る。例えば、図１３〜図１５では、ユーザの心理状態（気分）として落着き／活性、穏やか／刺激の４つを例示したが、これらに限定されるものではない。例えば、覚醒／鎮静、安定／変化といった各種の心理状態を適用することが可能である。
【０１１１】
また、図１３〜図１５では、心理状態を２つのカテゴリに分ける情報の例を示したが、３段階以上の複数レベルの情報としてもよい。また、図１３〜図１５では、１つの心理状態に対して１つのタイプのシート３０１を対応付け、１つのタイプのシート３０１に対して１つの振動情報を対応付ける構成としているが、これに限定されない。例えば、１つの心理状態に対して複数のタイプのシート３０１を対応付けるようにしてもよい。同様に、１つのタイプのシート３０１に対して複数のタイプの振動情報を対応付けるようにしてもよい。
【０１１２】
すなわち、シート情報取得部１３Ｂが、心理状態取得部１２Ｂにより取得されたユーザの心理状態情報に応じて複数のタイプのシート３０１に関する複数のシート情報を取得し、取得情報提示部１５が、シート情報取得部１３Ｂにより取得された複数のシート情報をユーザ端末２００Ｂに提示するようにしてよい。また、振動情報取得部１４が、シート情報取得部１３Ｂにより取得されたシート情報により示されるタイプのシート３０１に応じて複数のタイプの振動情報を取得し、取得情報提示部１５が、振動情報取得部１４により取得された複数の振動情報をユーザ端末２００Ｂに提示するようにしてよい。
【０１１３】
この場合、取得情報提示部１５は、シート情報取得部１３Ｂにより取得された複数のシート情報および振動情報取得部１４により取得された複数の振動情報を全てユーザ端末２００Ｂに提示するようにしてよい。あるいは、取得情報提示部１５が、シート情報取得部１３Ｂにより取得された複数のシート情報をユーザ端末２００Ｂに提示してユーザに何れかを選択させ、これに応じて振動情報取得部１４が、ユーザにより選択されたシート情報により示されるタイプのシート３０１に応じた振動情報を取得して、これを取得情報提示部１５がユーザ端末２００Ｂに提示するようにしてもよい。
【０１１４】
（第３の実施形態）
次に、ユーザが顔のマッサージを受ける際のコンテクストとして「マッサージ装置３００を利用する目的（用途）」を用いる場合を示す第３の実施形態について説明する。図１６は、第３の実施形態によるサーバ装置１００Ｃの機能構成例を示すブロック図である。この図１６において、図２に示した符号と同一の符号を付したものは同一の機能を有するものであるので、ここでは重複する説明を省略する。
【０１１５】
図１６に示すように、第３の実施形態によるサーバ装置１００Ｃは、機能構成として、通信部１１、目的情報取得部１２Ｃ、シート情報取得部１３Ｃ、振動情報取得部１４および取得情報提示部１５を備えている。また、サーバ装置１００Ｃには、シート情報記憶部１０１Ｃおよび振動情報記憶部１０２Ｃが接続されている。
【０１１６】
図１７は、第３の実施形態によるユーザ端末２００Ｃの機能構成例を示すブロック図である。この図１７において、図３に示した符号と同一の符号を付したものは同一の機能を有するものであるので、ここでは重複する説明を省略する。図１７に示すように、第３の実施形態によるユーザ端末２００Ｃは、機能構成として、通信部２１、目的情報取得部２２Ｃ、目的情報送信部２３Ｃ、推薦情報受信部２４、振動情報送信部２５および表示制御部２６を備えている。また、ユーザ端末２００Ｃは、記憶媒体として、推薦情報記憶部２０１を備えている。
【０１１７】
図１６に示すサーバ装置１００Ｃのシート情報記憶部１０１Ｃは、図２の媒体関連情報記憶部１０１に対応するものであり、固有の触覚効果を持った複数タイプのシート３０１を示す複数のシート情報をそれぞれ複数の目的情報の何れかに対応付けて記憶する。ここで、複数の目的情報とは、保湿や抗菌といったマッサージ装置３００を利用する目的を示す情報である。また、振動情報記憶部１０２Ｃは、図２の振動情報記憶部１０２に対応するものであり、固有の触覚効果を持った複数タイプの振動情報をそれぞれ複数のシート情報の何れかに対応付けて記憶する。
【０１１８】
図１８は、シート情報記憶部１０１Ｃに記憶される情報および振動情報記憶部１０２Ｃに記憶される情報の一例を模式的に示す図である。図１８（ａ）に示すように、シート情報記憶部１０１Ｂは、ねばねばの触覚効果を有するタイプＳ６１（化粧液の成分としてグリセリンの含油量が多いタイプ）のシート３０１に関するシート情報を「保湿」の目的情報に関連付けるとともに、さらさらした触覚効果を有するタイプＳ６２（グリセリンの含油量が少ないタイプ）のシート３０１に関するシート情報を「抗菌」の目的情報に関連付けて記憶している。
【０１１９】
また、図１８（ｂ）に示すように、振動情報記憶部１０２Ｃは、第１の触質パラメータｈが小さくて柔らかい触覚効果を有するタイプＦ２１の振動情報をタイプＳ６１のシート情報に関連付けるとともに、第１の触質パラメータｈが大きくて硬い触覚効果を有するタイプＦ２２の振動情報をタイプＳ６２のシート情報に関連付けて記憶している。
【０１２０】
このように、図１８に示す情報は、マッサージ装置３００を利用する目的として「保湿」を選択したユーザに対して、ねばねばの触覚効果を有するシート３０１と、柔らかい触覚効果を有する振動とをコンポーネント推薦情報として提示する一方、目的として「抗菌」を選択したユーザに対して、さらさらした触覚効果を有するシート３０１と、硬い触覚効果を有する振動とをコンポーネント推薦情報として提示する内容となっている。
【０１２１】
ユーザ端末２００Ｃの目的情報取得部２２Ｃは、マッサージ装置３００を利用する目的を示す目的情報を所定の方法によって取得する。例えば、目的情報取得部２２Ｃは、何れかの目的を選択するための操作を可能にしたユーザインタフェースを有する操作画面をユーザ端末２００Ｃのディスプレイに表示させ、所望の目的をユーザに選択させることにより、当該ユーザによる操作画面に対する操作を通じて選択された利用目的を示す目的情報を取得する。目的情報送信部２３Ｃは、目的情報取得部２２Ｃにより取得された目的情報をサーバ装置１００Ｃに送信する。サーバ装置１００Ｃの目的情報取得部１２Ｃは、ユーザ端末２００Ｃから送信された目的情報を取得する。
【０１２２】
シート情報取得部１３Ｃは、目的情報取得部１２Ｃにより取得された目的情報に基づいて、マッサージ装置３００の利用目的（用途）に応じたタイプのシート３０１に関するシート情報をシート情報記憶部１０１Ｃから取得する。図１８（ａ）の例において、目的情報取得部１２Ｃにより取得された目的情報が「保湿」を示すものである場合、シート情報取得部１３ＣはタイプＳ６１のシート情報を取得する。一方、目的情報取得部１２Ｃにより取得された目的情報が「抗菌」を示すものである場合、シート情報取得部１３ＣはタイプＳ６２のシート情報を取得する。
【０１２３】
振動情報取得部１４は、シート情報取得部１３Ｃにより取得されたシート情報により示されるタイプのシート３０１に応じた振動情報を振動情報記憶部１０２Ｃから取得する。図１８（ｂ）の例において、シート情報取得部１３Ｃにより取得されたシート情報が「タイプＳ６１」を示すものである場合、振動情報取得部１４はタイプＦ２１の振動情報を取得する。一方、シート情報取得部１３Ｃにより取得されたシート情報が「タイプＳ６２」を示すものである場合、振動情報取得部１４はタイプＦ２２の振動情報を取得する。
【０１２４】
取得情報提示部１５は、シート情報取得部１３Ｃにより取得されたシート情報および振動情報取得部１４により取得された振動情報をユーザ端末２００Ｃに提示する。すなわち、取得情報提示部１５は、上述のようにして取得されたシート情報および振動情報をコンポーネント推薦情報としてユーザ端末２００Ｃに送信する。
【０１２５】
ユーザ端末２００Ｃの推薦情報受信部２４は、サーバ装置１００Ｃの取得情報提示部１５により送信されたコンポーネント推薦情報を受信し、推薦情報記憶部２０１に記憶させる。振動情報送信部２５は、推薦情報記憶部２０１に記憶されたコンポーネント推薦情報のうち、振動情報をマスク３０２に送信する。表示制御部２６は、推薦情報記憶部２０１に記憶されたコンポーネント推薦情報のうち、シート情報をユーザ端末２００Ｃのディスプレイに表示させる。
【０１２６】
以上のように構成した第３の実施形態によれば、マッサージ装置３００を用いてマッサージを受けるユーザがその利用目的として「保湿」または「抗菌」の何れかを選択すると、その選択した利用目的に対応付けられたシート３０１および振動を示すコンポーネント推薦情報がユーザに提示される。ユーザは、このように提示されたシート３０１および振動を用いてマッサージ装置３００を使用することにより、マッサージ装置３００の利用目的に適したシート３０１および振動を使ってマッサージを受けることができる。特に、本実施形態では、マッサージ装置３００の利用目的に適したシート３０１が有する触覚効果と同様の触覚効果を有する振動が提示されるので、利用目的に適した触覚効果を増長させた状態でマッサージを受けることが可能となる。
【０１２７】
なお、図１８に示した情報は単なる一例であり、これに限定されるものではない。例えば、図１８では、シート３０１として、化粧液におけるグリセリンの含有量が多いタイプと少ないタイプとを用いる例を示したが、これに限定されない。例えば、保湿効果があることで知られている他の成分（ソルビトール、1,2-ヘキサンジオール、発酵ベータグルカン、1,3-ブチレングリコール、アマチャエキス、セラミドＮＰ、カルボマー、キサンタンガム、トリエチルヘキサノイン、マンニトールなどの何れか）の含有量に応じてタイプ分けするようにしてもよい。あるいは、抗菌効果があることで知られている他の成分（1,2-ヘキサンジオール、1,3-ブチレングリコール、クオタニウム-73）の含有量に応じてタイプ分けするようにしてもよい。
【０１２８】
また、図１８では、マッサージ装置３００の利用目的として保湿、抗菌の２つを例示したが、これに限定されない。例えば、ストレス解消、安眠、リラックス、やる気の向上、楽観的気分の高揚、疲労の回復、顔の皺または弛みの緩和、顔のシミまたはくすみの緩和などとしてもよい。これらを目的とする場合は、香りの要素または色彩の要素をシート３０１のタイプ分けに利用するようにしてもよい。また、３段階以上の複数レベルにタイプ分けするようにしてもよい。
【０１２９】
また、１つの利用目的に対して複数のタイプのシート３０１を対応付けるようにしてもよいし、１つのタイプのシート３０１に対して複数のタイプの振動情報を対応付けるようにしてもよい。この場合、利用目的に対応して取得された複数のシート情報および複数の振動情報を全てユーザ端末２００Ｃに提示するようにしてよい。あるいは、利用目的に対応して取得された取得された複数のシート情報をユーザ端末２００Ｃに提示してユーザに何れかを選択させ、ユーザにより選択されたシート情報により示されるタイプのシート３０１に応じた１つまたは複数の振動情報を取得してユーザ端末２００Ｃに提示するようにしてもよい。
【０１３０】
図１９は、シート情報記憶部１０１Ｃに記憶される情報および振動情報記憶部１０２Ｃに記憶される情報の別の例を模式的に示す図である。図１９（ａ）に示すように、シート情報記憶部１０１Ｂは、ピンと張ったような触覚効果を有するタイプＳ７１（顔に貼り付けて使用するもので張力が強いタイプ）のシート３０１に関するシート情報を「顔の皺または弛みの緩和」という目的情報に関連付けるとともに、ふわっとした触覚効果を有するタイプＳ７２（顔に乗せて使用するもので張力が弱いタイプ）のシート３０１に関するシート情報を「顔のシミまたはくすみの緩和」という目的情報に関連付けて記憶している。
【０１３１】
また、図１９（ｂ）に示すように、振動情報記憶部１０２Ｂは、第１の触質特徴量Ｐ１が大きくてなめらかな触覚効果を有し、かつ、第１の触質パラメータｈが小さくて柔らかい触覚効果を有するタイプＦ４１の振動情報をタイプＳ７１のシート情報に関連付けるとともに、第１の触質特徴量Ｐ１が小さくて粗い触覚効果を有し、かつ、第１の触質パラメータｈが大きくて硬い触覚効果を有するタイプＦ４２の振動情報をタイプＳ７２のシート情報に関連付けて記憶している。
【０１３２】
このように、図１９に示す情報は、マッサージ装置３００を利用する目的として「顔の皺または弛みの緩和」を選択したユーザに対して、ピンと張ったような触覚効果を有するシート３０１と、なめらかで柔らかい触覚効果を有する振動とをコンポーネント推薦情報として提示する一方、目的として「顔のシミまたはくすみの緩和」を選択したユーザに対して、ふわっとした触覚効果を有するシート３０１と、粗くて硬い触覚効果を有する振動とをコンポーネント推薦情報として提示する内容となっている。
【０１３３】
以上、第１〜第３の実施形態について説明したが、本発明はこれらに限定されるものではない。例えば、第１〜第３の実施形態を個別に適用するのみならず、何れか２つまたは３つを組み合わせて適用するようにしてもよい。例えば、図２のコンテクスト情報取得部１２が、ユーザが顔のマッサージを受ける際のコンテクストを示すコンテクスト情報として、ユーザの顔の肌状態、心理状態（気分）、マッサージ装置３００の利用目的（用途）の何れか２つまたは３つの組み合わせを取得するようにし、その組み合わせに対応付けられたタイプのシート３０１に関するシート情報を媒体関連情報取得部１３が取得するようにしてもよい。
【０１３４】
図２０は、コンテクスト情報としてユーザの顔の肌状態（乾燥肌／脂性肌）と心理状態（落着き／活性）との組み合わせを用いた場合の一例を示す図である。図２０（ａ）は、媒体関連情報記憶部１０１に記憶される情報の一例を示し、図２０（ｂ）は、振動情報記憶部１０２に記憶される情報の一例を示している。この例の場合、コンテクスト情報取得部１２は、コンテクスト情報としてユーザの顔の肌状態（乾燥肌／脂性肌）を取得するとともに、心理状態（落着き／活性）を取得する。媒体関連情報取得部１３は、ユーザの顔の肌状態（乾燥肌／脂性肌）と心理状態（落着き／活性）との組み合わせに応じて、それらの組み合わせに対応付けられたタイプＳ８１〜Ｓ８４の何れかのシート３０１に関するシート情報を取得する。さらに、振動情報取得部１４は、媒体関連情報取得部１３により取得されたシート情報のタイプＳ８１〜Ｓ８４に対応付けられたタイプＦ８１〜Ｆ８４の振動情報を取得する。
【０１３５】
ここでは、第１〜第３の実施形態を任意に組み合わせて適用する場合の一例として、複数のコンテクスト情報の組み合わせに応じて何れかのタイプのシート情報を取得する例を示したが、これに限定されない。例えば、複数のコンテクスト情報の何れか１つに基づいて複数タイプのシート情報を取得し、その中から更に、別のコンテクスト情報に基づいてシート情報を絞り込み、このようにして絞り込んだシート情報を提示するようにしてもよい。このように２段階に分けてシート情報を取得する場合、次のようにしてもよい。すなわち、１段階目でユーザが選択した一のコンテクスト情報に基づいて、複数のタイプのシート情報を取得してユーザ端末２００に提示する。そして、提示されたシート情報をユーザが参照して別のコンテクスト情報を選択し、当該選択された別のコンテクスト情報に基づいてシート情報の絞り込みを行って、絞り込まれたシート情報を提示する。
【０１３６】
また、上記第１〜第３の実施形態では、マッサージ装置３００において使用するコンポーネントの１つであるシート状部材としてシート３０１を提示する例について説明したが、これは圧縮型シートであってもよい。圧縮型シートとは、当初は小さく圧縮されているコイル状のシートで、これに化粧液を注ぐと面状に広がるように構成されたものである。この圧縮型シートを用いる場合、広がったときのシートのきめの細かさ、柔らかさ、注ぐ化粧液の成分や量などに応じて、当該圧縮型シートを異なる複数のタイプに分類することが可能である。
【０１３７】
また、上記第１〜第３の実施形態では、マッサージ装置３００において使用するコンポーネントの１つである振動媒体としてシート状部材（シート３０１）を提示する例について説明したが、シート状部材に塗布する塗布材（振動媒体⊇塗布材）を提示するようにしてもよい。塗布材は、例えば化粧液、化粧クリーム、化粧ジェル、化粧フォームなどである。何れの塗布材も、その成分や量によって異なる触覚効果を有し、複数のタイプに分類することが可能である。なお、ユーザに提示する振動媒体として塗布材を用いる場合、シート３０１は化粧液を含んでいないものを使用し、塗布材を塗布しやすい材質（例えば、シリコンその他の樹脂等）を用いる。
【０１３８】
化粧クリームや化粧ジェルに関しては、その成分として、スクラブなどの固形物もタイプ分けの要素として利用することが可能である。例えば、スクラブ入りの化粧クリームはざらざらな触覚効果を有し、スクラブ無しの化粧クリームはなめらかな触覚効果を有するといった具合である。また、化粧フォームに関しては、それに含まれる気泡の量などもタイプ分けの要素として利用することが可能である。例えば、気泡が多い化粧フォームはふわふわな触覚効果を有し、気泡が少ない化粧フォームはしっとりした触覚効果を有するといった具合である。
【０１３９】
図２１〜図２４は、ユーザに提示するコンポーネントとして塗布材を用いた場合において、図２の媒体関連情報記憶部１０１に記憶される情報および振動情報記憶部１０２に記憶される情報の一例を模式的に示す図である。図２１は、コンテクスト情報として肌状態情報を用い、塗布材として化粧クリームまたは化粧ジェルを用いる場合の例を示す。図２２は、コンテクスト情報として心理状態情報を用い、塗布材として化粧フォームを用いる場合の例を示す。図２３は、コンテクスト情報としてマッサージ装置３００を利用する目的情報を用い、塗布材として化粧液を用いる場合の例を示す。
【０１４０】
図２４は、コンテクスト情報として肌状態情報および心理状態情報の組み合わせを用い、塗布材として化粧クリームまたは化粧ジェルを用いる場合の例を示す。図２４において、異なる触感が少ない化粧クリームまたは化粧ジェルとは、例えば、スクラブなどの固形物の混入量が少ないものを言う。異なる触感が多い化粧クリームまたは化粧ジェルとは、スクラブなどの固形物の混入量が多いものを言う。
【０１４１】
ここでは、ユーザに提示する振動媒体として、シート３０１に代えて塗布材を用いる例ついて説明したが、シート３０１および塗布材の両方を振動媒体としてユーザに提示するようにしてもよい。例えば、上述した圧縮型シート（シート状部材）と、これに塗布する化粧液（塗布材）とを組み合わせを振動媒体としてユーザに提示するようにすることが可能である。
【０１４２】
また、上記実施形態では、媒体関連情報記憶部１０１（シート情報記憶部１０１Ａ〜１０１Ｃ）および振動情報記憶部１０２（振動情報記憶部１０２Ａ〜１０２Ｃ）を備え、コンテクスト情報に対応付けられた媒体関連情報を媒体関連情報記憶部１０１から取得するとともに、当該媒体関連情報に関連付けられた振動情報を振動情報記憶部１０２から取得する例について説明したが、本発明はこれに限定されない。例えば、振動情報記憶部１０２が、複数タイプの振動情報をそれぞれ、複数のコンテクスト情報の何れかに対応付けて記憶する。そして、振動情報取得部１４が、コンテクスト情報取得部１２により取得されたコンテクスト情報により示されるコンテクストに応じた振動情報を振動情報記憶部１０２から取得するようにしてもよい。この場合の振動情報記憶部１０２は、コンテクスト情報に対して媒体関連情報および振動情報の両方を対応付けて記憶したものであってもよい。
【０１４３】
また、上記実施形態では、振動情報記憶部１０２（振動情報記憶部１０２Ａ〜１０２Ｃ）が振動情報を記憶しており、振動情報取得部１４が振動情報記憶部１０２から振動情報を取得して、その取得した振動情報を取得情報提示部１５がユーザ端末２００（ユーザ端末２００Ａ〜２００Ｃ）に提示する例について説明したが、本発明はこれに限定されない。例えば、振動情報記憶部１０２が、複数タイプの振動を示す複数の振動識別情報を記憶する。そして、振動情報取得部１４が振動情報記憶部１０２から振動識別情報を取得し、その取得した振動識別情報を取得情報提示部１５がユーザ端末２００に提示するようにしてもよい。
【０１４４】
この場合、ユーザ端末２００において振動識別情報を確認したユーザは、その振動識別情報に対応する振動情報をユーザ端末２００に対する操作によって取得する。例えば、ユーザ端末２００にあらかじめ記憶しておいた複数の振動情報の中から、振動識別情報に対応する振動情報を取得する。あるいは、振動情報のダウンロードサイトにアクセスして振動識別情報を送信し、それに対応する振動情報を当該ダウンロードサイトからダウンロードする。
【０１４５】
また、上記実施形態では、振動供給体の一例としてマスク３０２を挙げて説明したが、これに限定されない。すなわち、シート状部材を介して顔に振動を付与することが可能なものであればよく、顔に被せて使用するマスク形状をしたものに限定されない。例えば、ユーザが手に持って使用可能な形状（一例として、把持部と、振動付与体が設置される振動呈示部とを備えた任意形状）をしたものを振動供給体として用い、当該振動供給体をユーザが手に持って振動呈示部をシート状部材に接触させることによって振動を付与するようにしてもよい。
【０１４６】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【０１４７】
１２  コンテクスト情報取得部
１２Ａ  肌状態取得部
１２Ｂ  心理状態取得部
１２Ｃ  目的情報取得部
１３  媒体関連情報取得部
１３Ａ，１３Ｂ，１３Ｃ  シート情報取得部
１４  振動情報取得部
１５  取得情報提示部
２２  コンテクスト情報取得部
２２Ａ  肌状態取得部
２２Ｂ  心理状態取得部
２２Ｃ  目的情報取得部
２３  コンテクスト情報送信部
２３Ａ  肌状態情報送信部
２３Ｂ  心理状態情報送信部
２３Ｃ  目的情報送信部
２４  推薦情報受信部
２５  振動情報送信部
２６  表示制御部
１００，１００Ａ，１００Ｂ，１００Ｃ  サーバ装置（コンポーネント提示装置）
１０１  媒体関連情報記憶部
１０１Ａ，１０１Ｂ，１０１Ｃ  シート情報記憶部
１０２，１０２Ａ，１０２Ｂ，１０２Ｃ  振動情報記憶部
２００，２００Ａ，２００Ｂ，２００Ｃ  ユーザ端末
３００  マッサージ装置
３０１  シート（振動媒体、シート状部材）
３０２  マスク（振動供給体）
【要約】
コンテクスト情報を取得するコンテクスト情報取得部１２と、固有の触覚効果を持った複数タイプの振動媒体を示す複数の媒体関連情報をそれぞれ複数のコンテクスト情報の何れかに対応付けて記憶した媒体関連情報記憶部１０１から、コンテクストに応じたタイプの振動媒体に関する媒体関連情報を取得する媒体関連情報取得部１３と、固有の触覚効果を持った複数タイプの振動情報をそれぞれ複数の媒体関連情報の何れかに対応付けて記憶した振動情報記憶部１０２から、媒体関連情報により示されるタイプの振動媒体に応じた振動情報を取得する振動情報取得部１４と、以上のように取得した媒体関連情報および振動情報をユーザに提示する取得情報提示部１５とを備え、ユーザが顔のマッサージを受ける際のコンテクストに適した振動媒体および振動を使って振動マッサージを受けることができるようする。【図１】
0006837701.tif 000002
【図２】
0006837701.tif 000003
【図３】
0006837701.tif 000004
【図４】
0006837701.tif 000005
【図５】
0006837701.tif 000006
【図６】
0006837701.tif 000007
【図７】
0006837701.tif 000008
【図８】
0006837701.tif 000009
【図９】
0006837701.tif 000010
【図１０】
0006837701.tif 000011
【図１１】
0006837701.tif 000012
【図１２】
0006837701.tif 000013
【図１３】
0006837701.tif 000014
【図１４】
0006837701.tif 000015
【図１５】
0006837701.tif 000016
【図１６】
0006837701.tif 000017
【図１７】
0006837701.tif 000018
【図１８】
0006837701.tif 000019
【図１９】
0006837701.tif 000020
【図２０】
0006837701.tif 000021
【図２１】
0006837701.tif 000022
【図２２】
0006837701.tif 000023
【図２３】
0006837701.tif 000024
【図２４】
0006837701.tif 000025